(57)【要約】【課題】厚鋼板や熱延鋼板などを大水量で冷却する場合に、鋼板を高冷却速度で均一にかつ安定して水冷することができる鋼板の冷却装置および冷却方法を提供する。【解決手段】ノズルヘッダ２内から冷却水を外部へ排出可能とする冷却水排出管５と、ノズルヘッダ２内が真空状態になった際にノズルヘッダ２内に外気を導入するチェック弁１１とを備えている。【選択図】図１
2010214433.tif 000002
【特許請求の範囲】
【請求項１】
冷却水供給源に冷却水供給管を介して接続されたノズルヘッダと、冷却水供給管に設けられた冷却水供給制御手段と、前記ノズルヘッダに取り付けられたノズル群とを備えて、鋼材上面に冷却水を供給する鋼材の冷却装置において、前記ノズルヘッダ内から冷却水を外部へ排出可能とする冷却水排出管と、前記ノズルヘッダ内が大気圧未満になった時に前記ノズルヘッダ内に外気を導入するチェック弁とを備えていることを特徴とする鋼材の冷却装置。
【請求項２】
前記各ノズルの冷却水流入口の高さ位置は、水平面に対してすべて同じ高さ位置にあることを特徴とする請求項１に記載の鋼材の冷却装置。
【請求項３】
請求項１または２に記載の鋼材の冷却装置による鋼材の冷却方法であって、鋼材上面への冷却水の供給を停止する場合は、冷却水供給制御手段によってノズルヘッダへの冷却水の供給を停止すると同時に、冷却水排水管に取り付けられた開閉弁を開状態とすることを特徴とする鋼板の冷却方法。
【発明の詳細な説明】
【技術分野】
【０００１】
本発明は、厚鋼板、薄鋼板、形鋼等の鋼材の冷却装置および冷却方法に関し、特に、冷却水の注水／停止を迅速に行い、冷却温度の的確な制御や冷却後の温度ムラの低減を図るものである。
【背景技術】
【０００２】
熱間圧延により鋼材（厚鋼板、薄鋼板、形鋼等）を製造するプロセスでは、近年、鋼材を冷却して圧延温度を調整したり、圧延直後の鋼材を急速冷却したりして、組織を微細化したり、パーライト、ベーナイトやマルテンサイトなどの変態組織を制御して、鋼材の強度や加工性を上げる技術の開発が盛んである。
【０００３】
それに関して、たとえば、圧延直後の鋼板を冷却装置に通板して冷却を行う際、鋼板の先端と尾端が冷却装置に進入する時間が異なるため、冷却装置の入側では空冷時間の差に起因して鋼板の長手方向に温度分布が発生する。すなわち、鋼板の最高温度は、その先端部付近にあり（例えば約８６０°Ｃ）、鋼板の最低温度は、その後端部付近にある（例えば約８２０°Ｃ）。鋼板において均一な材質を得るためには、冷却停止温度を鋼板内で均一にすることが重要であるが、そのためには、冷却中に、冷却装置入側での温度の差を打ち消すように、冷却を鋼板の長手方向に制御する必要がある。また、冷却後の温度が狙いの温度よりも高いあるいは低い場合には、これを修正する処置が必要である。
【０００４】
この問題に関しては、通常、冷却装置からの冷却水の流量を変化させることによって、冷却能力を変更する方法が採用されている。一方、冷却水の流量の変化では大きな温度変化を伴う場合には対応できないので、例えば熱延のランアウトテーブルなどでは、冷却水噴射ゾーン長さを調整する方法が採用されている。冷却水噴射ゾーン長さの調整は、冷却ノズルからの冷却水の供給を噴射／停止することによって行っている。
【０００５】
このような冷却の制御に関しては、冷却装置の優れた応答性が重要であり、冷却水供給指令を出してから、冷却水が鋼板に実際に供給されるまでの時間（冷却水開始遅れ時間）、および、冷却水供給停止指令を出してから、鋼板上への冷却水の供給が実際に停止するまでの時間（冷却水停止遅れ時間）が短くなければならない。特に、冷却水停止遅れ時間が短いことが最も重要である。
【０００６】
ところが、通常のノズルヘッダでは、特に上面側を冷却するノズルヘッダでは、特に冷却水を停止するときに問題が生じる。
【０００７】
鋼板上面側のノズルは鉛直下向きにノズル孔が開口し、鋼板下面側のノズルは鉛直上向きにノズル孔が開口しているが、冷却水の元弁を閉止した場合、重力の影響から鋼帯上面側では元弁からノズル間の冷却給水配管に溜まった水も含めてノズルから出るため、元弁を急速に閉止しても水が急には止まらない。
【０００８】
これに対して、様々な検討がなされており、たとえば以下に示すような技術が提案されている（特許文献１〜８）。
【０００９】
特許文献１は、スリットノズルに冷却水を供給する水槽の内部において、ノズル出口からシール可能な機構を設けて、冷却水がノズルから噴射するのを停止する方法を開示している。
【００１０】
特許文献２は、スリットノズルについて、ノズル噴射孔のギャップが可変となっており、冷却水の噴射／停止に応じてこのギャップを開いたり閉じたりする方法を開示している。
【００１１】
特許文献３は、スリットノズルの下流側部分に可動枠を設けると共に、ノズル出口にこれを遮蔽可能なシャッターを設けることによって、ノズル出口からの不必要な冷却水の注出を回避し、もって、オンオフ特性を改善する方法を開示している。
【００１２】
特許文献４は、スリットノズルに関して、ノズルヘッダに高圧空気配管を接続して、冷却水元弁を閉止すると同時に高圧空気を封入することにより、ノズル孔から高速で水を排水させる方法を開示している。
【００１３】
特許文献５は、スプレーノズルに関して、ノズルヘッダからＵ字型の屈曲部を設けた配管にスプレーノズルを取り付け、屈曲部の頂点に高圧空気導入配管を接続して、冷却水元弁を閉止すると同時に、空気を吹き込み高速で水を排水する方法について開示している。
【００１４】
特許文献６は、ヘアピンラミナーについて、ヘアピンノズルのＵ字部に小さな穴をあけ、冷却水元が閉止したときに、この小孔から空気が進入して、速やかに冷却水がノズル内から排水される方法について開示されている。
【００１５】
特許文献７は、ヘアピンラミナーについて、ヘアピンノズルのＵ字部が冷却水を供給する配管よりも高い位置に設置して、冷却水元弁を閉止しても、Ｕ字部よりも給水配管側の水がノズル孔から出ないようにする方法について開示している。
【００１６】
特許文献８は、ヘッダを内管と外管の２重構造にし、ヘッダ内管の上方に４ｍｍ以下の隙間を空けて、ここで冷却水を保持し、ヘッダ外管と内管の隙間に残留する水のみをノズルを通って外部に排出される方法を開示している。
【先行技術文献】
【特許文献】
【００１７】
【特許文献１】特開昭５３−３０９１２号公報
【特許文献２】特開平９−１９７１１号公報
【特許文献３】特開昭５５−５４２１０号公報
【特許文献４】特開平１０−１９２９４５号公報
【特許文献５】特開２００１−７９６０８号公報
【特許文献６】特開昭４９−１２９６０９号公報
【特許文献７】特開昭４９−１２９６０８号公報
【特許文献８】特開２００１−３２１８２１号公報
【発明の概要】
【発明が解決しようとする課題】
【００１８】
特許文献１〜８では、それぞれのノズル形式に合わせて工夫されており、大きな効果がある。しかし、近年、材質制御の観点から冷却速度を極めて高くする傾向にあり、これを達成するために大水量噴射可能な冷却ノズルが開発されており、この大水量噴射可能な冷却ノズルに対しては、特許文献１〜８の技術で対応できないケースが多い。
【００１９】
たとえば、特許文献１や特許文献２におけるように、スリットノズルの出口や水槽内部で冷却水を遮断する方法においては、スリットノズル自体は大水量噴射可能な冷却方式ではあるが、長期間にわたるノズルの使用によって、冷却水の遮蔽をもたらすシール部分が損傷し、シールが不完全になって、適切な遮蔽効果が得られなくなる。また、特に、厚鋼板のように、板幅が５ｍにもおよぶ幅広のスリットノズルでは、遮蔽機構が構造的に難しく、実用的ではない。
【００２０】
また、特許文献３におけるように、スリットノズルの出口に開閉可能なシャッターを設ける方法においては、その効果は確実であるが、シャッターを設置するため広いスペースが必要となる。そのため、スリットノズルを長手方向に複数列設置して、冷却速度を高くする必要がある場合では、シャッターの退避スペースを確保する観点から、密に配置することが出来ず、冷却速度を高めるのには限界がある。
【００２１】
さらに、特許文献４や特許文献５に記載されている方法では、冷却水を停止すると同時にエアーを封入すると、エアー圧によりヘッダ内の水がノズルから噴射されるが、大水量を噴射可能なノズルヘッダはそもそもヘッダ容量が大きく、大量の空気でヘッダ内を置換する必要がある。また、水の逃げ口はノズル孔であるため、空気で置換している間にノズルから水が噴射してしまい、冷却水の停止指令からある時定数を持って水が停止する。
【００２２】
また、特許文献６や特許文献７に記載されている方法では、ヘアピンラミナーのようなＵ字型の配管にノズルが取り付けられている構造しか採用が出来ない。一方、ヘアピンラミナーはＵ字管を取り付ける関係上あまりコンパクトなヘッダにはならず、大流量噴射にはあまり向いていない。特許文献１や特許文献２のスリットラミナーと同じく長手方向に密な配置ができず冷却速度を高めることが出来ない。
【００２３】
また、特許文献８に記載されている方法は、特に大水量噴射可能なヘッダに特化させて検討されており、実用性も高い。ただし、ヘッダ外管の容量分は冷却水元弁を閉止しても水が出てしまうが、特に冷却水停止後はノズルへの冷却水流入口とヘッダ内液面のヘッド差で冷却水がでる。特にこのヘッド差が小さくなった領域では、水がノズル孔からちょろちょろと漏れ出す状況が長時間続くため問題がある。
【００２４】
本発明は、上記のような事情に鑑みてなされたものであり、大水量冷却、特に厚鋼板、薄鋼板等の鋼材を冷却する比較的設備幅の広い冷却装置で大水量噴射する場合（特に冷却水量密度を１５００Ｌ／ｍｉｎ・ｍ２以上で噴射する場合）において、優れた応答性を有し、特に、冷却水停止遅れ時間（冷却水供給停止指令を出してから、鋼板上への冷却水の供給が実際に停止するまでの時間）を短くし、ノズル出口からの不必要な冷却水の注出を回避し、かつ、長期間使用しても、ノズル出口からの冷却水の漏れがなく、冷却ムラを防止することが可能な鋼材の冷却装置および冷却方法、すなわち鋼材を高冷却速度で均一にかつ安定して水冷することができる鋼材の冷却装置および冷却方法を提供することを目的とするものである。
【課題を解決するための手段】
【００２５】
上記課題を解決するために、本発明は以下の特徴を有する。
【００２６】
［１］冷却水供給源に冷却水供給管を介して接続されたノズルヘッダと、冷却水供給管に設けられた冷却水供給制御手段と、前記ノズルヘッダに取り付けられたノズル群とを備えて、鋼材上面に冷却水を供給する鋼材の冷却装置において、前記ノズルヘッダ内から冷却水を外部へ排出可能とする冷却水排出管と、前記ノズルヘッダ内が大気圧未満になった時に前記ノズルヘッダ内に外気を導入するチェック弁とを備えていることを特徴とする鋼材の冷却装置。
【００２７】
［２］前記各ノズルの冷却水流入口の高さ位置は、水平面に対してすべて同じ高さ位置にあることを特徴とする前記［１］に記載の鋼材の冷却装置。
【００２８】
［３］前記［１］または［２］に記載の鋼材の冷却装置による鋼材の冷却方法であって、鋼材上面への冷却水の供給を停止する場合は、冷却水供給制御手段によってノズルヘッダへの冷却水の供給を停止すると同時に、冷却水排水管に取り付けられた開閉弁を開状態とすることを特徴とする鋼板の冷却方法。
【発明の効果】
【００２９】
本発明を用いることにより、冷却水停止遅れ時間を極めて短くし、ノズル出口からの不必要な冷却水の注出を回避し、鋼材の冷却の制御性を大幅に改善できる。その結果、鋼材を高冷却速度で均一にかつ安定して水冷することが可能となり、鋼材の長手方向における温度むらに起因する材質欠陥の発生を防止し、材質はずれを少なくして、品質の高い鋼材を製造することができる。
【図面の簡単な説明】
【００３０】
【図１】本発明の一実施形態の概略説明図（正面図）である。
【図２】本発明の一実施形態の概略説明図（側面図）である。
【図３】排水配管のみ使用した場合に冷却水停止時間が長くなる説明図である。
【図４】本発明の一実施形態の他の概略説明図（側面図）である。
【発明を実施するための形態】
【００３１】
本発明の実施の形態を図面に基づいて説明する。なお、ここでは、鋼板を対象にして述べるが、形鋼等の他の鋼材についても同様に適用することができる。
【００３２】
図１、図２は、本発明の一実施形態に係る鋼板の冷却装置を示す概略説明図であり、図１は鋼板（図示せず）の長手方向（搬送方向）から見た図（正面図）、図２は鋼板（図示せず）の幅方向から見た図（側面図）である。
【００３３】
図１、図２に示すように、本発明の一実施形態に係る鋼板の冷却装置は、鋼板上面に冷却水を噴射するようになっており、冷却水供給源に冷却水供給管１を介して接続されたノズルヘッダ２と、冷却水供給管１に設けられた冷却水供給制御手段６と、ノズルヘッダ２に取り付けられたノズル（ノズル群）４とからなる基本構造を有している。
【００３４】
そして、ノズルヘッダ２は、例えば内管２ａと外管２ｂからなる２重管構造になっており、ノズルヘッダ２のノズル設置面は水平であり、またノズル４はノズルヘッダ外管２ｂの内部まで貫通しており、各ノズル４の冷却水流入口（ノズル４の上端）４ａは高さ位置が水平方向に揃っている。
【００３５】
また、冷却水供制御手段６は、電気信号によって開閉動作を行う開閉弁（例えば、電磁弁）からなっており、信号を送って、冷却水供給制御手段（冷却水供給用開閉弁）６を開放すれば、冷却水供給源からの冷却水が冷却水供給管１を通ってノズルヘッダの内管２ａに供給される。このようにして内管２ａ内に供給された冷却水は、その上方部分に形成された貫通孔２ｃを通って、ノズルヘッダ外管２ｂ内に供給され、均一な圧力でノズル４の冷却水流出口（ノズルの下端）４ｂから噴出し、鋼板上面に冷却水が供給される。そして、冷却水供給制御手段（冷却水供給用開閉弁）６を閉鎖すれば、ノズルヘッダ１内への冷却水の供給は遮断される。
【００３６】
しかし、その際に、冷却水供給管１の内径や長さに起因して、冷却水供給用開閉弁６とノズルヘッダ内管２ａとの間の冷却水供給管１内やノズルヘッダ２内に溜まっている冷却水の量は多い。そのため、上述の基本構造だけの場合には、鋼板上面への冷却水の供給を停止する際に、冷却水供給用開閉弁６を閉じて、冷却水供給源からノズルヘッダ２への冷却水の供給を停止しても、冷却水供給管１内やノズルヘッダ２に残留している冷却水（図１の網掛けされている領域の冷却水）が重力によって下方に移動し、ノズル４を通って鋼板上面に排出されてしまう。
【００３７】
そこで、この実施形態に係る鋼板の冷却装置においては、上記のような冷却水供給管１内やノズルヘッダ２内に残留する冷却水をノズルヘッダ２内から鋼板存在領域外（鋼板が通過する板道の外側）に排出できるようにした冷却水排出配管５を備えている。この冷却水排出管５は、少なくともその下端がノズルヘッダ２内に貫通した各ノズル４の冷却水流入口４ａよりも下方に位置するように、一端がノズルヘッダ２の外管２ｂに接続され、その途中には冷却水排出制御手段（例えば、電磁開閉弁）８が取り付けられている。
【００３８】
そして、冷却水排出制御手段（冷却水排出用開閉弁）８は、冷却水供給制御手段（冷却水供給用開閉弁）６が開放されているときに閉鎖され、冷却水供給制御手段（冷却水供給用開閉弁）６が閉鎖されているときに開放されるようになっている。すなわち、冷却水供給用開閉弁６と冷却水排出用開閉弁８の開閉動作は相互に逆に行われる。
【００３９】
これによって、冷却水供給用開閉弁６を閉鎖して、冷却水の供給を停止した場合に、冷却水供給管１内やノズルヘッダ２内に残留する冷却水を、冷却水排出管５を通過させて外部にある排水溝９に排出することができる。
【００４０】
さらに、ノズルヘッダ２内が大気圧未満になった時にノズルヘッダ２内に外気を導入するチェック弁（逆止弁）１１をノズルヘッダ外管２ａに設置している。図３に示すように、このチェック弁１１を設置していない場合、以下のようなことが生じるからである。
【００４１】
すなわち、冷却水を噴射中にはノズルヘッダ２内には所定の圧力（例えば２ｋｇ／ｃｍ２）が常にかかっているが、冷却水の噴射を停止するために冷却水供給用開閉弁６を閉鎖した際に、冷却水供給用開閉弁６の下流側の冷却水供給管１およびノズルヘッダ２で形成される空間内が一瞬の真空状態になる。そのため、残留冷却水がその真空状態に引っ張られて、排出が停止する。その後、残留冷却水の重量、漏洩空気の影響により残留冷却水が排出されるようになる。
【００４２】
そこで、この短時間での現象を排除するために、この実施形態においては、ノズルヘッダ２内が大気圧未満になった時にノズルヘッダ２内に外気を導入するチェック弁１１をノズルヘッダ外管２ａに設置している。
【００４３】
このチェック弁１１は、冷却水の噴射時には、ノズルヘッダ２内の圧力（例えば２ｋｇ／ｃｍ２）により閉じていて、ノズルヘッダ２内と外気を遮断しているが、冷却水の噴射を停止するために冷却水供給用開閉弁６を閉鎖した際に、ノズルヘッダ２内の圧力が０（大気圧未満）になると、開状態になり、外気をノズルヘッダ２内に取り込み始め、ノズルヘッダ２内の一瞬の真空状態を積極的に排除する。これにより、冷却水排出管５からの排水は早期に開始されるようになり、鋼板上への冷却水供給停止までの時間の高速化が図られる。
【００４４】
なお、この実施形態においては、ノズルヘッダ外管２ｂに冷却水排出管５を接続しているが、さらに冷却水排出管５をノズルヘッダ内管２ａまたは冷却水供給管１いずれか一方若しくは両方に追加して接続することでもよい。また、冷却水排水管５の必要な流路断面積が得られない場合は、たとえばノズルヘッダ外管２ｂの複数箇所に面積の小さい冷却水排水管を取り付けてもかまわない。
【００４５】
また、チェック弁１１は、ノズルヘッダ外管２ｂに取り付けているが、さらに冷却水供給用開閉弁６の下流側の冷却水供給管１にも取り付けるようにしてもよい。
【００４６】
ちなみに、ノズルヘッダ外管２ｂには冷却水排出管５を必ず接続して、且つノズルヘッダ内管２ａの下方で、ノズル４の上端（冷却水流入口）４ａの水平高さ位置よりも下方に接続することが好ましい。なぜなら、残留冷却水は重力に従ってノズルヘッダ２中の下部に溜まるが、ノズル４の上端４ａよりも低い位置の冷却水はノズル４から流出しない。そのため、各ノズル４の上端４ａは少なくとも冷却水排水管５の下端部より上方に位置している必要があるが、速やかにノズル４から流出する残留冷却水を停止するためには、ノズル４の長さをある程度長くしてノズルヘッダ２内に貫通させるとともに、ノズル４の冷却水流入口４ａよりも垂直方向で下方に冷却水排水管５の上端が来るように接続する。これにより、残留冷却水の液面レベルを速やかにノズル４の流入口４ａよりも低くすることが可能となり、ノズル４から噴射する冷却水が速やかに停止する。なお、図２は、ノズル４の流入口４ａよりも冷却水排水管５の上端の位置を低くする場合の例を示しているが、ノズル４の流入口４ａよりも冷却水排水管５の上端をＨだけ低くすることを意味している。このＨの値は理論的にはゼロでもよいが、機械の取り付け精度なども考慮して５〜２０ｍｍ程度の値とすると好適である。
【００４７】
ただし、先に述べたように、冷却水排水管５の必要な流路断面積が確保できない場合は、複数の冷却水排水管５を設置し、その一部の冷却水排水管５をノズル４の上端４ａよりも下方に配置し、不足の流路断面積を確保するために、他の冷却水排水管５をノズル４の上端４ａよりも上方に配置してもかまわない。
【００４８】
また、各ノズル４の冷却水流入口４ａの位置は水平面に対して同じ位置にあると良い。こうすることで、ノズルヘッダ２内の液面レベルと各ノズル４の冷却水流入口４ａのレベルが平行になるため、すべてのノズル４が同時に冷却水の流出を停止することができる。
【００４９】
なお、図１、図２では、ノズル４の噴射方向を鉛直下向きとしたもので説明したが、例えば図４のように、ノズル４の噴射方向を斜め下向きに噴射する場合でも、ノズル４の冷却水流入口４ａをやはり水平面に対して一致させ、且つノズル４の冷却水流入口４ａよりも下方に冷却水排水管５を接続すれば同様の効果を得ることができる。
【００５０】
次に、この実施形態に係る鋼板の冷却装置の動作について、図１に基づいて以下に説明する。
【００５１】
先ず、鋼板の冷却を行うために、鋼板の上面に冷却水を供給する場合には、電気信号（水冷開始指示）を送って、冷却水供給用開閉弁６を開放する。それと同時に、またはそれに先立って電気信号が送られて、冷却水排出用開閉弁８は閉鎖される。これによって、冷却水供給源からの冷却水は、冷却水供給管１を通り、ノズルヘッダ２の内管２ａに供給され、内管２ａ内に供給された冷却水は、貫通孔２ｃを通って、ノズルヘッダ２の外管２ｂ内に供給された後、均一な圧力でノズル４の冷却水流出口４ｂから噴出し、鋼板の上面全体を冷却する。
【００５２】
次いで、鋼板の上面上への冷却水の供給を停止する場合には、電気信号（水冷停止指示）を送って、冷却水供給用開閉弁６を閉鎖する。それと同時に、冷却水排出用開閉弁８が開放される。その際に、ノズルヘッダ２内の一瞬の真空状態に対応してチェック弁１１が開放される。これによって、冷却水供給管１内およびノズルヘッダ２内に残留した冷却水は大半が迅速に冷却水排出管５を通過して排水溝９に排出されるとともに、一部はノズル４から排出される。このようにして、短時間で残留冷却水がなくなるため、ノズル４からの冷却水の垂れは短時間でなくなる。
【００５３】
上記のようにして、この実施形態においては、冷却水供給停止指令を出してから、鋼板上への冷却水の供給が実際に停止するまでの時間（冷却水停止遅れ時間）が極めて短くなり、ノズル４からの不必要な冷却水の流出が回避されて、優れた水冷停止特性（オフ特性）が得られ、鋼板の冷却の制御性を大幅に改善できる。その結果、鋼板を高冷却速度で均一にかつ安定して水冷することが可能となり、鋼板の長手方向における温度むらに起因する材質欠陥の発生を防止し、材質はずれを少なくして、品質の高い鋼板を製造することができる。
【符号の説明】
【００５４】
１  冷却水供給管
２  ノズルヘッダ
２ａ  ノズルヘッダ内管
２ｂ  ノズルヘッダ外管
２ｃ  貫通孔
４  ノズル
４ａ  ノズルの上端（冷却水流入口）
４ｂ  ノズルの先端（冷却水流出口）
５  冷却水排水管
６  冷却水給水制御手段（冷却水供給用開閉弁）
８  冷却水排水制御手段（冷却水排水用開閉弁）
９  排水溝
１１  チェック弁
【図１】
2010214433.tif 000003
【図２】
2010214433.tif 000004
【図３】
2010214433.tif 000005
【図４】
2010214433.tif 000006